(57)【特許請求の範囲】
【請求項１】
管（１０）に圧締力を及ぼすための一連の圧力要素（３、３’、３’’）を具備する、管（１０）と連結するための継手装置であって、
前記一連の圧力要素（３、３’、３’’）の各々の圧力要素は第１圧力要素セグメント（５、５’、５’’）と第２圧力要素セグメント（４、４’、４’’）とを具備しており、前記第１圧力要素セグメント（５、５’、５’’）は前記管（１０）に対して近位に配置され、前記第２圧力要素セグメント（４、４’、４’’）は遠位に配置されている継手装置において、
前記一連の圧力要素（３、３’、３’’）の各々の前記圧力要素（３’’）の前記第１圧力要素セグメント（５’’）には前記管（１０）の長手方向に直角に延びている突起（１５）が設けられており、前記突起（１５）は、隣接する圧力要素（３’）の一部を形成するすぐ隣の第２圧力要素セグメント（４’）に設けられているスリット（１４）内まで延びていることを特徴とする、継手装置。
【請求項２】
管（１０）に圧締力を及ぼすための一連の圧力要素（３、３’、３’’）を具備する前記管（１０）と連結するための継手装置であって、
前記継手装置には、シーリング要素として設けられる少なくとも１つのシーリング手段（１２）が設けられており、前記一連の圧力要素（３、３’、３’’）には、前記管（１０）から遠ざかる方を向いた側に、前記管から遠ざかる半径方向の向きに互いに収束する表面が設けられており、かつ、互いに連結するように設計されるとともに、前記管（１０）に圧締力を与えるように前記一連の圧力要素（３）の前記表面に当てて直接的または間接的に配置されるように設計されているさらなる支持要素（９、１１）が設けられており、前記一連の圧力要素（３、３’、３’’）の各々の前記圧力要素（３）は、第１圧力要素セグメント（５、５’、５’’）と第２圧力要素セグメント（４、４’、４’’）とを具備しており、前記第１圧力要素セグメント（５、５’、５’’）は前記管（１０）に対して近位に配置され、前記第２圧力要素セグメント（４、４’、４’’）は遠位に配置されており、前記第１および前記第２圧力要素セグメントには、前記管（１０）の長手軸（１４）に対して所定の傾斜で互いに当接して協働するように配置されている接触面（７）が設けられており、前記接触面（７）の傾斜は前記継手装置と前記管（１０）との間の引張りによる緊張中、前記第１圧力要素セグメント（５、５’、５’’）が前記管をよりきつく圧締するように設計されており、さらに前記第２圧力要素セグメント（４、４’、４’’）が前記支持要素（９、１１）に対してより大きな力を及ぼす、継手装置において、
前記一連の圧力要素（３、３’、３’’）の各々の前記圧力要素（３’’）の前記第１圧力要素セグメント（５’’）には前記管（１０）の長手方向に直角に延びている突起（１５）が設けられており、前記突起（１５）は、隣接する圧力要素（３’）の一部を形成するすぐ隣の第２圧力要素セグメント（４’）に設けられているスリット内（１４）まで延びていることを特徴とする、継手装置。
【請求項３】
前記スリット（１４）は、前記スリット（１４）内に延びている前記突起（１５）の伸長を制限するストッパ（１６）を提供するので、あらゆる隣接する圧力要素（３’、３’’）の前記第１圧力要素セグメント（５’’）と前記第２圧力要素セグメント（４’）の互いに対する長手方向の動きが制限されるようになることを特徴とする、請求項１または２に記載の継手装置。
【請求項４】
管（１０）に圧締力を及ぼすために継手装置での使用時に一連に配置されるべき圧力要素（３、３’、３’’）であって、前記一連の圧力要素（３、３’、３’’）の各々の前記圧力要素は、第１圧力要素セグメント（５、５’、５’’）と第２圧力要素セグメント（４、４’、４’’）とを具備しており、使用時、前記第１圧力要素セグメント（５、５’、５’’）は前記管（１０）に対して近位に配置され、前記第２圧力要素セグメント（４、４’、４’’）は遠位に配置される圧力要素（３、３’、３’’）において、
前記一連の圧力要素（３、３’、３’’）の各々の前記圧力要素（３’’）の前記第１圧力要素セグメント（５’’）には、使用時に前記管（１０）の長手方向に直角に延びている突起（１５）が設けられており、前記突起（１５）は、相接する圧力要素（３’）の一部を形成する第２圧力要素セグメント（４’）に設けられているスリット（１４）内まで延びるように配列されていることを特徴とする、圧力要素（３、３’、３’’）。
【請求項５】
前記相接する圧力要素（３’）の前記スリット（１４）が、前記スリット（１４）内に延びている前記突起（１５）の伸長を制限するストッパ（１６）を提供し、これにより前記相接する圧力要素（３’、３’’）の前記第１圧力要素セグメント（５’’）と前記第２圧力要素セグメント（４’）の互いに対する長手方向の動きが制限されることを特徴とする、請求項４に記載の圧力要素（３、３’、３’’）。
【発明の詳細な説明】
【技術分野】
【０００１】
本発明は、管と連結するための継手装置に関する。
【背景技術】
【０００２】
管と連結するための継手装置は、管に圧締力を及ぼすための少なくとも１つの圧力要素を具備し、前記少なくとも１つの圧力要素は、同様に設けられる一連の隣接する圧力要素のうちの１つであり、前記一連の各圧力要素は第１圧力要素セグメントと第２圧力要素セグメントとを具備しており、第１圧力要素セグメントは管に対して近位に配置され、第２圧力要素セグメントは遠位に配置される。
【０００３】
このような継手装置は、国際特許出願公開第２００７／０５５５７６号公報に開示されている。
【０００４】
国際特許出願公開第２００７／０５５５７６号公報は管と連結するための継手装置に関し、管に圧締力を及ぼすための少なくとも１つの圧力要素を具備し、前記少なくとも１つの圧力要素には少なくとも１つのシーリング手段が備えられており、前記少なくとも１つの圧力要素には、管から遠ざかる方を向いた側に、管から遠ざかる半径方向の向きに互いに収束する表面が設けられており、かつ、互いに連結できて、管に圧締力を与えるように少なくとも１つの圧力要素の前記表面に当てて直接的または間接的に配置されるように設計されているさらなる支持要素が備えられている。国際特許出願公開第２００７／０５５５７６号公報の継手装置は、継手と管との間の引張りによる緊張中、第１圧力要素セグメントが管をよりきつく圧締するように設計されており、さらに、継手と管との間の引張りによる緊張が、第２圧力要素セグメントが支持要素に対してより大きな力を与えるように設計された、傾斜した接触面を備える。
【０００５】
国際特許出願公開第２００７／０５５５７６号公報による継手装置の構成は、継手と管との間の引張りによる緊張中、シーリング手段のシーリング作用を改善することを可能にする。圧力要素が管に及ぼす圧締力が増大することにより、前記管に対して改善されたシーリング作用が提供されるとともに、圧力要素と支持要素との間のシーリング手段のシーリング作用も改善する。
【０００６】
国際特許出願公開第２００７／０５５５７６号公報によると、第１圧力要素セグメントには、管に最も近い第１圧力要素セグメントの傾斜面の末端に突起が備えられて、それが第２圧力要素セグメントの動きを制限することが望ましい。この突起は、協働する支持壁が少なくとも１つの圧力要素に及ぼす力を増大するのに特に有用だと言われる。個々の圧力要素セグメントの接触面が傾斜しているため、この突起がなければ、これら圧力要素セグメントの相互の位置付けは保証できないことを意味するであろう。
【先行技術文献】
【特許文献】
【０００７】
【特許文献１】国際特許出願公開第２００７／０５５５７６号公報
【発明の概要】
【発明が解決しようとする課題】
【０００８】
周知の継手装置に伴う残りの問題は、一方では第１圧力要素セグメントと第２圧力要素セグメントとの接触面間の傾斜角度と、他方では強い引張りによる緊張が管に加えられたときに継手装置の操作性の損失を阻止するのと同時に、その強い引張りによる緊張状況におけるシーリング作用の有効性を高める周知の継手装置の能力との間に存在するトレードオフである。一般的に言うと、シーリング作用の有効性は、前記接触面の傾斜角度が比較的小さくなるように配列することによって改善することができる。反対に、シーリング作用の有効性は、傾斜角度が大きくなりすぎると低下する。しかし、前記接触面の傾斜角度が比較的小さいと、管と継手装置との間に強い引張りによる緊張が存在するときに、当初は、第１圧力要素セグメントが管に及ぼす圧力を増大させるが、さらに引張りによる緊張が増加すると、管を収縮させ、および／または第２圧力要素セグメントの下から抜け出して、管との連結が全体的に失われるおそれが増大する。
【課題を解決するための手段】
【０００９】
そのため、本発明による継手装置の有効性をさらに改善するために、各圧力要素のうち、第１圧力要素セグメントには管の長手方向に直角に延びている突起が備えられており、前記突起は、隣接する圧力要素の一部を形成するすぐ隣の第２圧力要素セグメントに備えられているスリット内まで延びていることが提案される。管の長手方向に直角に延びているこの突起は継手装置の組み立てには影響せず、同じ形状および寸法の圧力要素の完全な環を作ることによって行われ、これは圧力要素にも管に最も近い傾斜接触面の末端に前述の第１突起が設けられているかどうかに関係なく、第２圧力要素セグメントの動きを制限するために第１圧力要素セグメント上に備えられている。
【００１０】
上記と矛盾なく、本発明に従い、継手装置の一実施形態は、少なくとも１つの圧力要素は、同様に設けられる一連の隣接する圧力要素のうちの１つであり、前記一連の各圧力要素は第１圧力要素セグメントと第２圧力要素セグメントとを具備しており、第１圧力要素セグメントは管に対して近位に配置され、第２圧力要素セグメントは遠位に配置されており、各圧力要素のうち、第１圧力要素セグメントには管の長手方向に直角に延びている突起が備えられ、前記突起は、隣接する圧力要素の一部を形成するすぐ隣の第２圧力要素に備えられているスリット内まで延びている。
【００１１】
適切なことに、スリットは、前記スリット内に延びている突起の伸長を制限するストッパを提供するので、あらゆる圧力要素の第１圧力要素セグメントと第２圧力要素セグメントの互いに対する長手方向の動きが制限されるようになる。このように、管と継手装置との間に強い引張りによる緊張が存在するときに、本発明の継手装置の機能性が失われるおそれなく、第１圧力要素セグメントと第２圧力要素セグメントの接触面の傾斜角は比較的小さくすることができ、効果的なシーリングに役立つ。
【００１２】
本発明は、上で説明した継手装置で使用するためのバラバラの圧力要素でも具現される。本発明の前記バラバラの圧力要素は、同様に設けられる一連の圧力要素のうちの１つであり、前記一連の各圧力要素は第１圧力要素セグメントと第２圧力要素セグメントとを具備しており、使用時、第１圧力要素セグメントは管に対して近位に配置され、第２圧力要素セグメントは遠位に配置される。本発明によると、各圧力要素において、第１圧力要素セグメントには、使用時に管の長手方向に直角に延びている突起が備えられており、この突起は相接する圧力要素の一部を形成する第２圧力要素セグメントに備えられているスリット内まで延びるように配列されている。
【００１３】
同様に、本発明は相接する圧力要素のスリットが、前記スリット内に延びている突起の伸長を制限するストッパを提供するので、相接する圧力要素の第１圧力要素セグメントと第２圧力要素セグメントの互いに対する長手方向の動きが制限されるようにする実施形態も含む。
【００１４】
以下、本発明を、特許の請求項を制限することなく、本発明による継手装置の多数の例示的な実施形態によって、図面を参照しながらさらに説明する。
【図面の簡単な説明】
【００１５】
【図１】本発明による継手装置に共通する特徴を備える継手装置の模式図である。
【図２】管の周りに配置する完全な環を合わせて形成する一連の隣接する圧力要素が設けられる本発明の継手装置の側面図である。
【図３】図２の詳細図Ａを示す。
【図４】隣接する圧力要素の環の一部を示す。
【図５】本発明による圧力要素の第１側面図を示す。
【図６】本発明の圧力要素の第１側面図の反対側の第２側面図を示す。
【発明を実施するための形態】
【００１６】
図面において、同じ参照符号を使用するときは必ず、これら符号は同じかまたは類似の部品をいう。
【００１７】
まず、図１を参照して、本発明による継手装置のいくつかの側面を、当該継手装置が先行技術の継手装置と共有することをこれから説明する。
【００１８】
図１に図示する継手装置は、管１０の差し込み端部２を備えるスリーブ部１と、管１０に圧締力を及ぼすための少なくとも１つの圧力要素３とを具備する。圧力要素３は、通常ゴム製の要素で管１０の周りに実際のシールを施すシーリング手段１２と協働する。
【００１９】
少なくとも１つの圧力要素３に、管から遠ざかる方を向いた側に、半径方向に収束する表面がさらに備えられており、その向きは支持壁９および１１の向きと一致する。圧力要素３の収束面は平面、凹面、または凸面であってもよい。
【００２０】
前述の支持壁９および１１はボルトおよびナット要素８によって互いに連結することができるので、このボルトおよびナット要素８を締め付けるときに、支持壁９および１１は少なくとも１つの圧力要素３を管１０に締め付けるように押圧する。
【００２１】
図１は、少なくとも１つの圧力要素３に第１圧力要素セグメント５および第２圧力要素セグメント４が設けられ、第１圧力要素セグメント５が管１０に対して近位に、第２圧力要素セグメント４が遠位に位置付けられていることを示している。第１および第２の圧力要素セグメント４、５には、互いに当接するように配置されている協働する接触面７が備えられており、これは管１０の長手軸１４に対して所定の傾斜を有する。図１は、接触面７の傾斜が、管１０が矢印Ａの方向に引張りによる緊張状態にあるときに、第１圧力要素セグメント５が管１０をよりきつく圧締するように設計されていることを示す。接触面７の傾斜は、管１０が矢印Ａの方向に前記引張りによる緊張状態にあるときに、第２圧力要素セグメント４が支持壁９および１１に対してより大きな力を及ぼすようにさらに設計されている。
【００２２】
前述したように、シーリング手段１２は、一方の側では支持壁９と分割された圧力要素３との間、他方の側では管１０と分割された圧力要素３との間に少なくとも部分的に配置されているゴム製シーリング要素として設けられるのが好ましい。
【００２３】
図１は、第１圧力要素セグメント５が第２圧力要素セグメント４の動きを制限する突起を有するオプションを示していないが、この構成は国際特許出願公開第２００７／０５５５７６号公報の図２から周知であり、この文書は本明細書にその全体が挿入され、組み込まれると見なされる。
【００２４】
図１は、第１圧力要素セグメント５に、管１０に向く側に摩擦増加面１３が備えられていることを示している。摩擦増加面１３はインレイとして設けることができ、または代わりに、この摩擦増加面１３は第１圧力要素セグメント５の一体的な一部分を形成することもできる。
【００２５】
本発明の枠組みの中で、継手装置の構成は、添付の請求項に明記される本発明の精神を逸脱することなく、数通りにさらに変型することもできる。本発明の本質は、少なくとも１つの圧力要素が、同様に設けられる一連の隣接する圧力要素３、３’、３’’のうちの１つであることである。これは図２に示されている。図３は図２の詳細図Ａを示しており、見える圧力要素３だけを参照して、前記一連の各圧力要素は第１圧力要素セグメント５と第２圧力要素セグメント４とを具備しており、第１圧力要素セグメント５は管に対して近位に配置され、第２圧力要素セグメント４は遠位に配置されることを示している。それに応じて、第１圧力要素５には摩擦増加面１３が備えられている。この図３は、圧力要素３にゴム製シーリング要素１２が備えられていることも明確に示している。
【００２６】
明確にするために、図４は一連の圧力要素を形成する環の一部を等角図で示しており、矢印Ｂで、隣接する要素３’と３’’との間の接続をこれから完了しなければならない。この完了していない接続は、各圧力要素のうち、圧力要素３’’に関して示すように、第１圧力要素セグメント５’’に、継手装置を取り付ける予定の管の長手方向に直角に延びている突起１５が備えられているという本発明の特徴を見る機会を与える。図６はこの圧力要素３’’の対応する側面図を提供しており、この圧力要素３’’には第１圧力要素セグメント５’’および第２圧力要素セグメント４’’が設けられて、第１圧力要素セグメント５’’の横に延びている突起１５がはっきりと視認できる。
【００２７】
図６に図示する第１圧力要素セグメント５’’の突起１５は、図５に図示する隣接する圧力要素３’のスリット１４と協働する。図５は図６の圧力要素３’’に隣接して置かれる圧力要素３’の側面図を提供しており、図５のこの隣接する圧力要素３’の一部を形成している第２圧力要素セグメント４’にスリット１４が備えられていることを示す。このように、図６に図示する圧力要素３’’の前記突起１５は、図６に図示する圧力要素３’のスリット１４内まで延びている。前記スリット１４は前記スリット１４内に延びている突起１５の伸長を制限するストッパ１６を提供するので、あらゆる隣接する圧力要素３’、３’’の第１圧力要素セグメント５’’と第２圧力要素セグメント４’の互いに対する長手方向の動きが制限されるようになる。図６において、矢印Ｃは、スリット１４に沿って移動するときに突起１５が利用できる最大ストロークを示す。
【００２８】
本発明による継手装置に関して上で記載した説明は、添付の請求項に明記される、本発明の然るべき保護範囲に関して非制限的なものと理解されるべきである。
【符号の説明】
【００２９】
１  スリーブ部
２  差し込み端部
３  圧力要素
３’  圧力要素
３’’  圧力要素
４  第２圧力要素セグメント
４’  第２圧力要素セグメント
４’’  第２圧力要素セグメント
５  第１圧力要素セグメント
５’  第１圧力要素セグメント
５’’  第１圧力要素セグメント
７  接触面
９  支持壁
１０  管
１１  支持壁
１２  ゴム製シーリング要素
１３  摩擦増加面
１４  スリット
１５  突起
１６  ストッパ
【図１】
0006305424.tif 000002
【図２】
0006305424.tif 000003
【図３】
0006305424.tif 000004
【図４】
0006305424.tif 000005
【図５】
0006305424.tif 000006
【図６】
0006305424.tif 000007